(57)【要約】      （修正有）【課題】植木鉢（盆栽鉢・ラン鉢・プランターなど）に植物（木・草花など）の移植、植え替え作業の一環としての用土のかき寄せ、すきこみ、あるいは古くなった用土を落とす、密集した小根やわた根をさばく、かき取る、また、根の回った植木鉢内から植物を抜くとき鉢と用土の境をつき空間をつくり抜きやすくするなどに使用する園芸用クシベラを提供する。【解決手段】クシ部２とヘラ部３が一体化することで本体１となり、移植、植え替え作業の一環である用土のかき寄せ、すきこみ、また、植物を鉢内から抜く、古い用土を落とす、密集した小根やわた根をさばく、かき取る、作業が一つの用具でできる。【選択図】図４
0003120445.tif 000002
【実用新案登録請求の範囲】
【請求項１】
クシ部とヘラ部を一体化させたことを特徴とする植物の移植・植え替えに使用する園芸用クシベラ。
【請求項２】
二本以上にしたクシ部とヘラ部を一体化させたことを特徴とする植物の移植・植え替えに使用する園芸用クシベラ。
【考案の詳細な説明】
【技術分野】
【０００１】この考案は、植木鉢（盆栽鉢・ラン鉢・プランターなど）に植物（木・草花など）の移植、植え替え作業の一環としての用土のかき寄せ、すきこみ、あるいは古くなった用土を落とす、密集した小根やわた根をさばく、かき取る、また、根の回った植木鉢内から植物を抜くとき鉢と用土の境をつき空間をつくり抜きやすくするなどに使用する園芸用クシベラに関する物である。
【背景技術】
【０００２】従来、移植、植え替え作業の一環である、用土のかき寄せ、すきこみ、古くなった用土のかき落し、根さばきなどには、割りばしや木や竹の棒の先を尖らした物や移植ゴテなどを使用していた。
【考案の開示】
【考案が解決しようとする課題】
【０００３】このように、植物の木や草花を植木鉢（盆栽鉢・ラン鉢・プランターなど）に移植、植え替えするときの作業の一環として、用土を株元、苗元や根の間にかき寄せ、すきこみ、また、古くなった用土を落とす、密集した小根やわた根をさばく、かき取る、また、根の回った植木鉢内から植物を抜く、このような作業がある。このとき、指先や移植ゴテ、竹バシ、割りバシや木、竹の棒などの先を尖らした物、また園芸用具の主柱の先などを移植、植え替えの作業用具として使用していた。したがって、これといって決まった用具が無いように思われる。このような不都合を解決することを課題とする。
【課題を解決するための手段】
【０００４】この課題を解決するための請求項１の考案は、クシ部とヘラ部を一体化させることを特徴とする植物の移植、植え替えに使用する園芸用クシベラである。また、中ほどにデッパリやクボミを設け、手に握りやすく力が入りすべりにくいようにした。これにより木や草花を植木鉢（盆栽鉢・ラン鉢・プランターなど）に移植、植え替え作業の一環である用土のかき寄せ、すきこみ、あるいは古くなった用土を落とす、密集した小根やわた根をさばく、かき取る、鉢から植物を抜くなどの作業をクシ部やヘラ部を使用することで容易に早く楽にできるようにした用具である。【０００５】請求項２の考案は、二本以上にしたクシ部とヘラ部を一体化させたことを特徴とする植物の移植、植え替えに使用する園芸用クシベラである。例えば、クシ部を二本以上にしても上記の移植、植え替え作業の一環ができるとともに、二本のクシ部を設けたことで物をはさむピンセットがわりになり、毛虫や玉肥料、小さな雑草、小石、コケなどをはさみ移動することができる。また、二本のクシ部分を握ることで一本のクシとして作業に使用できる用具でもある。
【考案の効果】
【０００６】以上のように請求項１記載の考案によればクシ部とヘラ部を一体化させる、また、中ほどにデッパリやクボミを設けることで手に握りやすく、力が入りすべりにくいようにしたことで一個の用具で植物の移植、植え替え作業の一環である用土のかき寄せ、すきこみ、あるいは古くなった用土を落とす、密集した小根やわた根をさばく、かき取る、鉢から植物を抜くなどの作業が容易に早く楽にできる。また、請求項２記載の考案によれば、クシ部を二本以上にすることでピンセットがわりになり、毛虫や玉肥料、小さな雑草、小石、コケなどをはさみ移動することができる。
本来、植物の移植、植え替え作業には、枝や葉を切る、根元や根の周りの土を落とし根を切り、整理してととのえる、そして、植木鉢内に入れ新しい用土を根の間にすきこみ用土を密着安定させならして終了する。終了後、用土の表面にコケなどをはる場合がある。このように本考案の用具で容易に早く楽にできることで植物の根のダメージを小さくすることができ、移植、植え替え後の生長を助けることになる。
【実施例】
【０００７】本考案の園芸用クシベラは、図１で示すように、本体１はクシ部２とヘラ部３とからなり、中ほどにクボミ４やデッパリ５を設けている。【０００８】この園芸用クシベラの使用例について説明する。植物を植木鉢（盆栽鉢・ラン鉢・プランターなど）内に移植する場合。植木鉢内にある程度用土を入れ適当な大きさの木や草花、あるいは、これらの苗をおく。このとき軽く根をクシ先６やヘラ先７でほぐすとよい。次に、用土を追加しながら中ほどのクボミ４やデッパリ５の部分を持ち、ヘラ部３で用土を株元や苗元にかき寄せて、ヘラ先７やクシ先６で突いてすきこむ。狭い根と根のすき間もクシ先６で突いてすきこみ用土と根をしっかりと密着安定させる。【０００９】次に、植え替えをする場合。植木鉢（盆栽鉢・ラン鉢・プランターなど）内に植えている木や草花を鉢内から抜く。このとき、根が鉢一杯になり抜けにくいときは、中ほどのクボミ４やデッパリ５部分を持ち、ヘラ先３やクシ先６で鉢と用土の境を数か所深く突き空間を作ると抜けやすくなる。抜けたら絡み合った根、小根やわた根をヘラ先７、クシ先６で突いてほぐし、さばきながら根と根の間の古い用土をかき落とす。不用な根や枝はハサミで切り整理する。次に、植木鉢内にある程度の新しい用土を入れ整理した木や草花を入れる。以下の植え替え作業は上記の移植作業と同様である。【００１０】移植、植え替え後、植木鉢（盆栽鉢・ラン鉢・プランターなど）表面の用土をコテ代わりにヘラ部３で押さえてならす。また、用土の表面にコケや水ゴケなどをしくときは、株元や根元の境や植木鉢（盆栽鉢・ラン鉢・プランターなど）内のヘリ部分のコケや水ゴケをヘラ先７やクシ先６で押さえこむと密着安定する。【００１１】図５は、本体１にクシ部２を二本設けたものである。上記の移植、植え替え作業の一環ができるとともに二本のクシ部を設けることで、物を挟むピンセットがわりになり毛虫や玉肥料、小さな雑草、小石、コケなどをはさみ移動することができる。また、二本のクシ部２を握ることで一本のクシとして作業に使用できる。【００１２】本体１のヘラ部３に溝８を設けてもよい。これにより少しではあるが物をすくい移動することができる。また、用土をかき寄せやすい。例として、移植、植え替えの仕上げ中に用土を加えたり引いたりして加減することができる。肥料を施すのにも使用できる。図６がこれにあたる。また、本体１に目盛りを設けてもよい。例として、クシ部２やヘラ部３に目盛りを設けることで高さ、深さ、幅などを測定することができる。【００１３】本考案の園芸用クシベラの本体１の材質素材は、竹、木、プラスチック樹脂、ステンレスなどの金属や非金属で作成してもよい。また、プラスチック樹脂などで作成する場合、強度を上げるために、本体１の内に、例えば、金属、糸、ガラスなどを使用した、棒状、板状、線状、網状、繊維状の物を入れてもよい。また、本体１の表面、内面に色、模様や色彩、または、これらを結合することで多彩な物を作成してもよい。また、本体１の機能部分であるクシ部２とヘラ部３をそれぞれ異なった材質素材で作り組み合わせて作成してもよい。例として、クシ部２をステンレス（金属）、ヘラ部３をプラスチック樹脂（非金属）のように組み合わせて作成してもよい。図７がこれにあたり、ボルト９、ナットで止めている。
【図面の簡単な説明】
【００１４】
【図１】  本考案に係る園芸用クシベラの平面図である。
【図２】  園芸用クシベラの断面図である。
【図３】  園芸用クシベラのヘラ部の断面図である。
【図４】  本考案に係る園芸用クシベラの立体図である。
【図５】  園芸用クシベラのクシ部が２本ある立体図である。
【図６】  園芸用クシベラのヘラ部に溝を設けた立体図である。
【図７】  園芸用クシベラのクシ部とヘラ部をそれぞれ異なった材質素材で作り組み合わせ作成した立体図である。
【符号の説明】
１・・・本体
２・・・クシ部
３・・・ヘラ部
【図１】
0003120445.tif 000003
【図２】
0003120445.tif 000004
【図３】
0003120445.tif 000005
【図４】
0003120445.tif 000006
【図５】
0003120445.tif 000007
【図６】
0003120445.tif 000008
【図７】
0003120445.tif 000009